(57)【要約】【課題】ユーザーの利用に向かない機能を制限することができるプロジェクター、及びプロジェクターの制御方法等を提供する。【解決手段】プロジェクター１０は、機器接続コネクター１８と、第１の映像入力端子１２０１〜第Ｎの映像入力端子１２０Ｎと、設置モードを設定するモード設定部１０４とを含む。プロジェクター１０は、モード設定部１０４により床置きモードが設定されたとき、機器接続コネクター１８、及び第１の映像入力端子１２０１〜第Ｎの映像入力端子１２０Ｎのいずれかを介して入力された映像信号等に基づいて画像表示又は音出力を行う。また、プロジェクター１０は、モード設定部１０４により天吊りモードが設定されたとき、第１の映像入力端子１２０１〜第Ｎの映像入力端子１２０Ｎのいずれかを介して入力された映像信号等に基づいて画像表示又は音出力を行う。【選択図】図７
2012198398.tif 000002
【特許請求の範囲】
【請求項１】
第１のソース入力部と、
第２のソース入力部と、
投写モードを設定するモード設定部とを含み、
前記モード設定部により第１の投写モードが設定されたとき、前記第１のソース入力部及び前記第２のソース入力部のいずれかを介して入力された入力信号に基づいて画像表示又は音出力を行い、
前記モード設定部により第２の投写モードが設定されたとき、前記第２のソース入力部を介して入力された入力信号に基づいて画像表示又は音出力を行うことを特徴とするプロジェクター。
【請求項２】
請求項１において、
ソース選択画像を生成するソース選択画像生成部を含み、
前記ソース選択画像生成部は、
前記モード設定部により前記第１の投写モードが設定されたとき、前記第１のソース入力部及び前記第２のソース入力部のうちソースが接続されたソース入力部に対応した情報を表示するソース選択画像を生成し、
前記モード設定部により前記第２の投写モードが設定されたとき、ソースが接続された前記第２のソース入力部に対応した情報を表示するソース選択画像を生成することを特徴とするプロジェクター。
【請求項３】
請求項１又は２において、
前記第１のソース入力部は、
出力端子を備える外部機器の接続が可能に構成される外部機器接続部であることを特徴とするプロジェクター。
【請求項４】
請求項３において、
前記外部機器接続部が設けられ、所与の引き出し方向に引き出し可能に構成されるドックコネクターを含み、
前記ドックコネクターは、
前記所与の引き出し方向に引き出された状態で、前記所与の引き出し方向と交差する接続方向から前記外部機器の接続が可能に構成されることを特徴とするプロジェクター。
【請求項５】
請求項１乃至４のいずれか１項において、
前記モード設定部は、
プロジェクター本体の設置状態に対応したモードを設定することを特徴とするプロジェクター。
【請求項６】
請求項５において、
前記第１の投写モードは、床置きモードであり、
前記第２の投写モードは、天吊りモードであることを特徴とするプロジェクター。
【請求項７】
第１のソース入力部と、第２のソース入力部と、投写モードを設定するモード設定部と、を含むプロジェクターの制御方法であって、
前記モード設定部により第１の投写モードが設定されたとき、前記第１のソース入力部及び前記第２のソース入力部のいずれかを介して入力された入力信号に基づいて画像表示又は音出力を行い、
前記モード設定部により第２の投写モードが設定されたとき、前記第２のソース入力部を介して入力された入力信号に基づいて画像表示又は音出力を行うことを特徴とするプロジェクターの制御方法。
【発明の詳細な説明】
【技術分野】
【０００１】
本発明は、プロジェクター、及びプロジェクターの制御方法等に関する。
【背景技術】
【０００２】
従来より、表示装置としてのプロジェクターは、オフィスでの会議や家庭内での映画等の視聴といった様々な場面で利用されている。このようなプロジェクターは、高い設置性を備え、一般的な床置きの状態のみならず、天井に設置された状態でも利用される。そのため、プロジェクターの本体の設置状態に応じた設置モードを設定することで、プロジェクターは、設置状態に応じた表示を行うことができるようになっている。
【０００３】
このような設置状態に応じた制御の切り替えを行うプロジェクターについて、種々提案されている。例えば特許文献１及び特許文献２には、設置状態に対応した設定が可能な設置モードに応じて制御を切り替えるプロジェクターが開示されている。具体的には、特許文献１には、設置モードとして天吊りモードが設定されたときには、温度制御を切り替えるようにしたプロジェクターが開示されている。特許文献２には、角度センサーを備え、角度センサーにより天吊り設置状態を検出したときに、温度制御を切り替えるようにしたプロジェクターが開示されている。
【先行技術文献】
【特許文献】
【０００４】
【特許文献１】特開２００８−３１０３２号公報
【特許文献２】特開２００９−０４２４４号公報
【発明の概要】
【発明が解決しようとする課題】
【０００５】
ところで、近年、プロジェクターの多機能化が進み、ユーザーにとって、プロジェクターの使い勝手がより一層向上している。特許文献１や特許文献２に開示された技術は、プロジェクター本体の設置状態に基づいて制御を切り替えることによって、どの設置状態であっても同様に利用することができる技術である。しかし、プロジェクターの本体の設置状態によっては利用に向かない機能については、ユーザーの利用を制限した方が望ましい場合がある。ところが、プロジェクターの本体の設置状態によっては利用に向かない機能については、特許文献１や特許文献２に開示された技術では、ユーザーの利用を制限することができないという問題がある。このようなユーザーの利用に向かない機能については、例えば、製品マニュアル等での注意書き等でユーザーに告知する方法もあるが、ユーザーが誤って利用してしまう可能性が残る。
【０００６】
本発明は、以上のような技術的課題に鑑みてなされたものである。本発明の幾つかの態様によれば、ユーザーの利用に向かない機能を制限することができるプロジェクター、及びプロジェクターの制御方法等を提供することができる。
【課題を解決するための手段】
【０００７】
（１）本発明の第１の態様は、プロジェクターが、第１のソース入力部と、第２のソース入力部と、投写モードを設定するモード設定部とを含み、前記モード設定部により第１の投写モードが設定されたとき、前記第１のソース入力部及び前記第２のソース入力部のいずれかを介して入力された入力信号に基づいて画像表示又は音出力を行い、前記モード設定部により第２の投写モードが設定されたとき、前記第２のソース入力部を介して入力された入力信号に基づいて画像表示又は音出力を行う。
【０００８】
本態様においては、モード設定部により第１の投写モードが設定されたとき、第１のソース入力部及び第２のソース入力部のいずれかを介して入力された入力信号に基づいて画像表示又は音出力を行う。一方、モード設定部により第２の投写モードが設定されたとき、第１のソース入力部を除いて、第２のソース入力部を介して入力された入力信号に基づいて画像表示又は音出力を行うことができる。これにより、投写モードの設定により、第１のソース入力部に接続されるソースを用いる場合にユーザーの利用に向かない機能を制限することができるようになる。
【０００９】
（２）本発明の第２の態様に係るプロジェクターは、第１の態様において、ソース選択画像を生成するソース選択画像生成部を含み、前記ソース選択画像生成部は、前記モード設定部により前記第１の投写モードが設定されたとき、前記第１のソース入力部及び前記第２のソース入力部のうちソースが接続されたソース入力部に対応した情報を表示するソース選択画像を生成し、前記モード設定部により前記第２の投写モードが設定されたとき、ソースが接続された前記第２のソース入力部に対応した情報を表示するソース選択画像を生成する。
【００１０】
本態様においては、第１の投写モードが設定されたとき、ソース選択画像生成部が、第１のソース入力部及び第２のソース入力部のうちソースが接続されたソース入力部に対応した情報を表示するソース選択画像を生成する。また、第２の投写モードが設定されたとき、ソース選択画像生成部が、第１のソース入力部を除外して、ソースが接続された第２のソース入力部に対応した情報を表示するソース選択画像を生成する。これにより、第１のソース入力部に接続されるソースを用いる場合にユーザーの利用に向かない機能を、ユーザーがソース選択画像を用いて選択できなくなり、ユーザーにわかりやすく仕様を提示しながら、機能を制限することができるようになる。
【００１１】
（３）本発明の第３の態様に係るプロジェクターでは、第１の態様又は第２の態様において、前記第１のソース入力部は、出力端子を備える外部機器の接続が可能に構成される外部機器接続部である。
【００１２】
本態様によれば、モード設定部により第１の投写モードが設定されたとき、外部機器が接続される外部接続機器接続部及び第２のソース入力部のいずれかを介して入力された入力信号に基づいて画像表示又は音出力を行う。一方、モード設定部により第２の投写モードが設定されたとき、外部機器接続部を除いて、第２のソース入力部を介して入力された入力信号に基づいて画像表示又は音出力を行うことができる。これにより、投写モードの設定により、外部機器をソースとした場合にユーザーの利用に向かない機能を制限することができるようになる。
【００１３】
（４）本発明の第４の態様に係るプロジェクターは、第３の態様において、前記外部機器接続部が設けられ、所与の引き出し方向に引き出し可能に構成されるドックコネクターを含み、前記ドックコネクターは、前記所与の引き出し方向に引き出された状態で、前記所与の引き出し方向と交差する接続方向から前記外部機器の接続が可能に構成される。
【００１４】
本態様によれば、上記の効果に加えて、ドックコネクターが収納可能となり、プロジェクターのコンパクト化に寄与できる上に、プロジェクターにより投写される画像を遮ることなく、外部機器の操作面で操作することができるようになる。
【００１５】
（５）本発明の第５の態様に係るプロジェクターでは、第１の態様乃至第４の態様のいずれか１つの態様において、前記モード設定部は、プロジェクター本体の設置状態に対応したモードを設定する。
【００１６】
本態様によれば、プロジェクター本体の設置状態に応じて、第１のソース入力部に接続されるソースを用いる場合にユーザーの利用に向かない機能を制限することができるようになる。
【００１７】
（６）本発明の第６の態様に係るプロジェクターでは、第５の態様において、前記第１の投写モードは、床置きモードであり、前記第２の投写モードは、天吊りモードである。
【００１８】
本態様によれば、プロジェクターが床置き設置されたときに、第１のソース入力部に接続されるソースを用いて画像表示又は音出力を行うことができるようになる。また、プロジェクターが天吊り設置されたときに、第１のソース入力部に接続されるソースを用いる場合にユーザーの利用に向かない機能を制限することができるようになる。
【００１９】
（７）本発明の第７の態様は、第１のソース入力部と、第２のソース入力部と、投写モードを設定するモード設定部と、を含むプロジェクターの制御方法が、前記モード設定部により第１の投写モードが設定されたとき、前記第１のソース入力部及び前記第２のソース入力部のいずれかを介して入力された入力信号に基づいて画像表示又は音出力を行い、前記モード設定部により第２の投写モードが設定されたとき、前記第２のソース入力部を介して入力された入力信号に基づいて画像表示又は音出力を行う。
【００２０】
本態様においては、モード設定部により第１の投写モードが設定されたとき、第１のソース入力部及び第２のソース入力部のいずれかを介して入力された入力信号に基づいて画像表示又は音出力を行う。一方、モード設定部により第２の投写モードが設定されたとき、第１のソース入力部を除いて、第２のソース入力部を介して入力された入力信号に基づいて画像表示又は音出力を行うことができる。これにより、投写モードの設定により、第１のソース入力部に接続されるソースを用いる場合にユーザーの利用に向かない機能を制限することができるようになる。
【図面の簡単な説明】
【００２１】
【図１】本実施形態におけるプロジェクターの本体の前面側の外観の概略図。
【図２】本実施形態におけるプロジェクターの本体の背面側の外観の概略図。
【図３】本実施形態におけるプロジェクターのドックコネクターに設けられる機器接続コネクターの概略図。
【図４】本実施形態における機器接続コネクターに携帯情報機器を接続する様子を模式的に示す図。
【図５】本実施形態におけるプロジェクターにより構成されるプロジェクターシステムの説明図。
【図６】天吊り設置されたプロジェクターを備えた本実施形態におけるプロジェクターシステムの説明図。
【図７】本実施形態におけるプロジェクターの構成例の機能ブロック図。
【図８】図７の信号処理部の構成例の機能ブロック図。
【図９】信号処理部におけるソース切り替え処理の処理例のフロー図。
【図１０】図９のステップＳ１４の信号確定処理の処理例のフロー図。
【図１１】図９のステップＳ１８の信号確定処理の処理例のフロー図。
【図１２】図９のステップＳ３６の信号確定処理の処理例のフロー図。
【図１３】設置モードとして床置きモードが設定されているときのソース選択画像の一例を示す図。
【図１４】設置モードとして天吊りモードが設定されているときのソース選択画像の一例を示す図。
【図１５】信号処理部におけるモード設定処理の処理例のフロー図。
【図１６】信号処理部におけるリモコンの操作処理の処理例のフロー図。
【発明を実施するための形態】
【００２２】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００２３】
図１及び図２に、本発明の一実施形態に係るプロジェクターの本体の外観の概略図を示す。図１は、プロジェクターの本体の前面側の外観の概略図を表す。図２は、プロジェクターの本体の背面側の外観の概略図を表す。図２において、図１と同様の部分には同一符号を付し、適宜説明を省略する。
【００２４】
本実施形態におけるプロジェクター（広義には、表示装置）１０は、投写レンズ１２と、ズームリング１４とを備えている。本体の前面２０側に設けられた投写レンズ１２により、スクリーンに映像が投写される。この映像のサイズは、ズームリング１４を操作することにより調整される。プロジェクター１０には、外部から映像信号（広義には、入力信号）が入力され、プロジェクター１０は、該映像信号に基づいて映像をスクリーンに投写する。
【００２５】
このプロジェクター１０は、映像ソース（入力ソース）の１つとして、出力端子（又は入出力端子）を備える外部機器としての携帯情報機器（携帯機器、携帯情報端末。広義には、外部機器）からの映像信号等に基づいて映像をスクリーンに投写することができる。そのため、プロジェクター１０は、携帯情報機器の接続が可能に構成され、該携帯情報機器の出力端子を介して、携帯情報機器内に蓄積された映像信号や音声信号（広義には、入力信号）をプロジェクター１０に供給することができるようになっている。プロジェクター１０は、本体に備える操作パネル又はリモコン（図示せず）によるユーザーの操作により、携帯情報機器に蓄積された映像信号や音声信号に基づいて映像を表示したり、音を出力したりする。
【００２６】
このような携帯情報機器は、プロジェクター１０が備える機器接続コネクター（携帯情報機器接続部。広義には、外部機器接続部）に接続される。プロジェクター１０は、本体の背面２２側に、機器接続コネクターが設けられるドックコネクター１６を備えている。ドックコネクター１６は、引き出し可能に構成されており、収納状態のドックコネクター１６を引き出し方向（手前方向）ＤＲに引き出すことで、機器接続コネクターが外部に露出する。
【００２７】
図３及び図４に、プロジェクター１０の機器接続コネクターの説明図を示す。図３は、プロジェクター１０のドックコネクター１６に設けられる機器接続コネクターの概略図を表す。図４は、機器接続コネクターに携帯情報機器を接続する様子を模式的に表す。
【００２８】
収納状態のドックコネクター１６を引き出すと外部に露出する機器接続コネクター１８は、上向きに設けられている。そのため、携帯情報機器３０は、引き出し方向ＤＲと交差する接続方向ＫＲから機器接続コネクター１８に接続される。この携帯情報機器３０は、画面３２を備えており、画面３２上にタッチパッドの操作面３４が設けられる。操作者は、画面３２を見ながら操作面３４を操作することで、携帯情報機器３０の各種操作を行う。そのため、携帯情報機器３０は、操作面３４が外側に向くように機器接続コネクター１８に装着される。携帯情報機器３０は、機器接続コネクター１８への装着状態で、出力端子からプロジェクター１０に映像信号や音声信号の出力が可能になる。
【００２９】
また、携帯情報機器３０は、映像信号等の出力機能の他に、外部機器と通信する機能を有しており、機器接続コネクター１８に接続することによって制御信号線を介した通信も可能に構成される。そのため、プロジェクター１０に携帯情報機器が接続された状態で、操作パネル等により携帯情報機器の各種操作が可能となり、逆に、携帯情報機器３０の操作によりプロジェクター１０の各種操作が可能となる。
【００３０】
図５に、本実施形態におけるプロジェクター１０により構成されるプロジェクターシステムの説明図を示す。図５において、図４と同様の部分には同一符号を付し、適宜説明を省略する。
プロジェクターシステム（広義には、表示システム）５０は、プロジェクター１０と、プロジェクター１０に接続された携帯情報機器３０とを備えている。プロジェクター１０は、床置き設置された状態で、携帯情報機器３０が図４に示すように接続される。プロジェクター１０は、操作パネルやリモコン４０を操作することによって操作されるが、携帯情報機器３０の操作面３４を操作することによっても操作される。このプロジェクターシステム５０は、機器接続コネクター１８に接続された状態で携帯情報機器３０の画面３２に表示される画像を、プロジェクター１０によってスクリーンＳＣＲに投写することができる。
【００３１】
このプロジェクター１０は、床置き設置や天吊り設置での利用ができる。そのため、図５に示すプロジェクターシステム５０におけるプロジェクター１０は、設置モードとして床置きモード（広義には、第１の投写モード）に設定される。これにより、床置き設置されたプロジェクター１０は、図５に示すように携帯情報機器３０の画面３２に表示される画像をスクリーンＳＣＲに投写することができる。これに対して天吊り設置で利用されるとき、プロジェクター１０は、設置モードとして天吊りモード（広義には、第２の投写モード）が設定される。
【００３２】
図６に、天吊り設置されたプロジェクター１０を備えた本実施形態におけるプロジェクターシステムの説明図を示す。
天吊り設置されたとき、プロジェクター１０の本体の底面側を天井に固定するため、設置モードとして天吊りモードに設定することで、プロジェクター１０は、映像を１８０度回転させて表示する制御を行う。このように、プロジェクター１０は、設定された設置モードに応じて、表示方法を切り替える制御を行う。
【００３３】
ところで、プロジェクター１０には、図３に示すように機器接続コネクター１８が設けられる。そのため、天吊り設置された状態では、プロジェクター１０の機器接続コネクター１８に対し、携帯情報機器３０を下方向から接続することになり、機器接続コネクター１８の保持力だけで携帯情報機器３０の重量を支えることになる。機器接続コネクター１８の保持力が携帯情報機器３０の重量よりも大きい場合、携帯情報機器３０が保持されるものの、機器接続コネクター１８と携帯情報機器３０の出力端子との間の接触が不十分になりやすくなる。また、振動の影響等によって携帯情報機器３０が落下する可能性がある。一方、機器接続コネクター１８の保持力が携帯情報機器３０の重量よりも小さい場合、携帯情報機器３０は落下してしまう。
【００３４】
このように、天吊り設置された状態では、プロジェクター１０に対して携帯情報機器３０の接続を許可しないことが望ましい上に、誤ってユーザーが携帯情報機器３０を接続しないような対策を講ずることが望ましい。そこで、本実施形態では、設置モードとして天吊りモードが設定されたとき、プロジェクター１０は、機器接続コネクター１８を使用する機能を制限する。
【００３５】
図７に、本実施形態におけるプロジェクター１０の構成例の機能ブロック図を示す。図７において、図１又は図５と同様の部分には同一符号を付し、適宜説明を省略する。なお、図７では、映像入力端子は、映像信号に同期した音声信号が入力される音声入力端子を適宜含めるものとする。また、図７では、説明を簡略化するため、ズームリング１４やドックコネクター１６等の図示を省略している。
【００３６】
プロジェクター１０は、信号処理部１００と、操作部１２２と、受信部１２４と、ランダムアクセスメモリー（Random Access Memory：ＲＡＭ）１２６と、読み出し専用メモリー（Read Only Memory：ＲＯＭ）１２８とを備えている。また、プロジェクター１０は、第１のソース入力部としての機器接続コネクター１８と、１又は複数の第２のソース入力部としての第１の映像入力端子１２０１〜第Ｎ（Ｎは自然数）の映像入力端子１２０Ｎと、投写部１４０と、音出力部１６０とを備えている。投写部１４０は、液晶駆動回路１４２と、液晶パネル１４４と、光源１４６と、投写レンズ１２とを備えている。
【００３７】
以下の実施形態では、説明の便宜上、Ｎが「６」であるものとする。この場合、第１の映像入力端子１２０１は、例えばコンピューター入力端子及び音声入力端子（以下、適宜、コンピューター入力端子等と略す）であり、コンピューター映像信号及び音声信号、ビデオ機器のコンポーネントビデオ信号が入力される。第２の映像入力端子１２０２は、例えばＳ−ビデオ入力端子であり、ビデオ機器のＳ−ビデオ信号が入力される。第３の映像入力端子１２０３は、例えばビデオ入力端子及び音声入力端子（以下、適宜、ビデオ入力端子等と略す）であり、ビデオ機器のコンポジットビデオ信号及び音声信号が入力される。第４の映像入力端子１２０４は、例えばＨＤＭＩ（High-Definition Multimedia Interface）入力端子であり、ＨＤＭＩに対応したビデオ機器やコンピューターの信号が入力される。第５の映像入力端子１２０５は、例えばＵＳＢ（Universal Serial Bus）のタイプＢ端子であり、ＵＳＢケーブルを介してコンピューターの映像信号等が入力される。第６の映像入力端子１２０６は、例えばＵＳＢ端子であり、ＵＳＢケーブルを介してＵＳＢストレージやデジタルカメラ等の映像信号等が入力される。
【００３８】
操作部１２２は、例えば操作パネルにより構成され、ユーザーの操作を受け付け、ユーザーの操作に対応した操作情報を信号処理部１００に対して出力する。受信部１２４は、リモコン４０によるユーザーの操作に対応した操作情報の受信処理を行い、受信処理後の操作情報を信号処理部１００に対して出力する。
【００３９】
信号処理部１００は、操作部１２２又は受信部１２４からの操作情報に基づいて、機器接続コネクター１８、及び第１の映像入力端子１２０１〜第６の映像入力端子１２０６のいずれか１つの映像信号に切り替える制御を行う。そして、信号処理部１００は、切り替えられた機器接続コネクター１８又は映像入力端子からの映像信号に対して所与の信号処理を行い、信号処理後の映像信号を投写部１４０に出力する。同様に、信号処理部１００は、機器接続コネクター１８、及び第１の映像入力端子１２０１〜第６の映像入力端子１２０６のいずれかからの音声信号に対して、上記の映像信号に同期させて音出力部１６０に出力する。信号処理部１００が行う信号処理としては、リサイズ処理、画質調整処理及びＯＳＤ（On Screen Display）メニュー生成処理等がある。このような信号処理部１００は、中央演算処理装置（Central Processing Unit：以下、ＣＰＵ）を備えており、上記の信号処理等の一部又は全部をソフトウェア処理で実現する。このとき、信号処理部１００が有するＣＰＵは、ＲＯＭ１２８に予め記憶されたプログラムを読み出し、ＲＡＭ１２６を作業エリアとしながら、該プログラムに対応した処理を実行することで、上記の信号処理等の一部又は全部を実現する。
【００４０】
投写部１４０では、液晶駆動回路１４２が、信号処理部１００による信号処理後の映像信号に基づいて液晶パネル１４４を駆動する。液晶パネル１４４には、光源１４６からの光が照射されており、投写部１４０は、液晶パネル１４４によって変調された変調光を用いて、投写レンズ１２によりスクリーンに投写する。
【００４１】
音出力部１６０は、例えば図２に示すプロジェクター１０の本体の背面２２側に配置される。これにより、携帯情報機器３０が機器接続コネクター１８に接続された状態で、携帯情報機器３０の操作面３４を操作しながら、投写レンズ１２により投写される映像を遮ることなく、音出力を行うことができる。
【００４２】
図８に、図７の信号処理部１００の構成例の機能ブロック図を示す。図８において、図７と同様の部分には同一符号を付し、適宜説明を省略する。
信号処理部１００は、接続状態検出部１０２と、モード設定部１０４と、ＯＳＤメニュー生成部１０６と、画像処理部１０８とを備えている。ＯＳＤメニュー生成部１０６は、ソース選択画像生成部１１０を備えている。接続状態検出部１０２は、機器接続コネクター１８の接続状態を検出する。接続状態検出部１０２による接続状態の検出結果は、モード設定部１０４に通知される。モード設定部１０４は、操作部１２２又は受信部１２４からの操作情報に基づいて、プロジェクター１０の設置モード（広義には、投写モード）を設定する。本実施形態では、モード設定部１０４が、床置きモード又は天吊りモードを設定するものとする。このようなモード設定部１０４における設定結果は、ＯＳＤメニュー生成部１０６及び画像処理部１０８に通知され、設置モードに応じたＯＳＤメニューの生成や画像処理等が行われる。
【００４３】
ＯＳＤメニュー生成部１０６は、ＯＳＤメニューを表示するためのＯＳＤメニュー画像を生成する。このＯＳＤメニュー生成部１０６は、操作部１２２又は受信部１２４からの操作情報を適宜反映させてＯＳＤメニュー画像を生成する。ソース選択画像生成部１１０は、ユーザーにより映像信号等のソースを選択するためのＯＳＤメニュー画像の１つとしてのソース選択画像を生成する。
【００４４】
画像処理部１０８は、操作部１２２又は受信部１２４からの操作情報に基づいて、機器接続コネクター１８、及び第１の映像入力端子１２０１〜第６の映像入力端子１２０６のいずれか１つの映像信号等に切り替える。そして、画像処理部１０８は、切り替えられた映像入力端子からの映像信号に対して所与の信号処理を行い、信号処理後の映像信号を投写部１４０に出力し、該映像信号に同期した音声信号を音出力部１６０に出力する。
【００４５】
画像処理部１０８は、モード設定部１０４により床置きモード（第１の投写モード）が設定されたとき、機器接続コネクター１８及び第１の映像入力端子１２０１〜第６の映像入力端子１２０６のいずれかを介して入力された映像信号を投写部１４０に出力する。また、画像処理部１０８は、モード設定部１０４により床置きモードが設定されたとき、機器接続コネクター１８及び第１の映像入力端子１２０１〜第６の映像入力端子１２０６のいずれかを介して入力された音声信号を音出力部１６０に出力する。
【００４６】
一方、画像処理部１０８は、モード設定部１０４により天吊りモード（第２の投写モード）が設定されたとき、機器接続コネクター１８を除外して、第１の映像入力端子１２０１〜第６の映像入力端子１２０６のいずれかを介して入力された映像信号を投写部１４０に出力する。このとき、画像処理部１０８は、映像を１８０度回転させた映像信号を投写部１４０に出力する。また、画像処理部１０８は、モード設定部１０４により天吊りモードが設定されたとき、機器接続コネクター１８を除外して、第１の映像入力端子１２０１〜第６の映像入力端子１２０６のいずれかを介して入力された音声信号を音出力部１６０に出力する。
【００４７】
従って、プロジェクター１０は、床置きモードに設定されたときは、機器接続コネクター１８を介して接続される携帯情報機器３０からの映像信号等に基づいて、画像表示又は音出力を行うことができる。一方、プロジェクター１０は、天吊りモードに設定されたときは、機器接続コネクター１８を介して接続される携帯情報機器３０からの映像信号等に基づく画像表示等を行うことができない。即ち、プロジェクター１０は、天吊りモードに設定されたとき、機器接続コネクター１８を用いた所定の機能を使用不能とする。
【００４８】
このため、本実施形態では、ユーザーがソースを選択するためのソース選択画像を表示する際に、天吊りモードに設定されているときには機器接続コネクター１８に接続される携帯情報機器３０をソースの選択対象から外したソース選択画像を表示する。即ち、ソース選択画像生成部１１０は、モード設定部１０４により床置きモードが設定されたとき、機器接続コネクター１８及び第１の映像入力端子１２０１〜第６の映像入力端子１２０６のうちソースが接続されたコネクター又は映像入力端子（ソース入力部）に対応した情報を表示するソース選択画像を生成する。また、ソース選択画像生成部１１０は、モード設定部１０４により天吊りモードが設定されたとき、機器接続コネクター１８を除外して、第１の映像入力端子１２０１〜第６の映像入力端子１２０６のうちソースが接続された映像入力端子に対応した情報を表示するソース選択画像を生成する。
【００４９】
こうすることで、ユーザーは、ソースとして携帯情報機器３０を選択できなくなり、天吊り設置された状態で、携帯情報機器３０を接続してしまう事態を回避することができる。
【００５０】
図８において、接続状態検出部１０２、モード設定部１０４及びＯＳＤメニュー生成部１０６の機能は、例えばソフトウェア処理により実現することができる。画像処理部１０８の機能は、例えば画像処理回路等のハードウェアにより実現することができる。
【００５１】
以下、本実施形態におけるプロジェクター１０の詳細な動作例について説明する。プロジェクター１０では、操作部１２２又は受信部１２４からのユーザーの操作情報により、ソース切替操作が行われると、ソース選択画像を生成し、生成したソース選択画像を表示する。
【００５２】
図９に、信号処理部１００におけるソース切り替え処理の処理例のフロー図を示す。図９は、ユーザーの操作情報に基づいてソース切替操作が行われたときの処理例を表す。なお、ユーザーによるソースの切り替えは、予め決められた順序でソースの入力検出を行い、入力が検出されると、検出されたソースからの映像等を出力し、切り替え動作を一旦終了する。この切り替え動作により選択されたソースは、次回のソースの切り替え動作開始時に参照され、前回選択されたソースに続く次のソースから入力検出が開始される。そのため、ユーザーは、必要に応じて、ソースの切替操作を複数回行うことで、所望のソースへの切り替えを行う。ここでは、初期値として、前回、第６の映像入力端子１２０６であるＵＳＢ端子からの入力をソース選択（信号確定処理）したものとする。
【００５３】
ユーザーによりソース切替操作が行われると、ソース選択画像生成部１１０は、予め決められた第１の映像入力端子１２０１〜第６の映像入力端子１２０６のソース選択画像を生成し、投写部１４０により表示させる（ステップＳ１０）。続いて、信号処理部１００は、前回、ＵＳＢ端子（第６の映像入力端子１２０６）からの入力について信号確定処理を行ったか否かを判定する（ステップＳ１２）。前回、ＵＳＢ端子からの入力について信号確定処理を行ったとき（ステップＳ１２：Ｙ）、信号処理部１００（画像処理部１０８）は、機器接続コネクター１８からの信号検出処理を行う（ステップＳ１４）。その後、信号処理部１００は、一連の処理を終了する（エンド）。
【００５４】
前回、ＵＳＢ端子からの入力について信号確定処理を行っていないとき（ステップＳ１２：Ｎ）、信号処理部１００は、前回、機器接続コネクター１８からの入力について信号確定処理を行ったか否かを判定する（ステップＳ１６）。前回、機器接続コネクター１８からの入力について信号確定処理を行ったとき（ステップＳ１６：Ｙ）、信号処理部１００（画像処理部１０８）は、コンピューター入力端子等（第１の映像入力端子１２０１）からの信号検出処理を行う（ステップＳ１８）。その後、信号処理部１００は、一連の処理を終了する（エンド）。
【００５５】
前回、機器接続コネクター１８からの入力について信号確定処理を行っていないとき（ステップＳ１６：Ｎ）、信号処理部１００は、前回、コンピューター入力端子等からの入力について信号確定処理を行ったか否かを判定する（ステップＳ２０）。前回、コンピューター入力端子等からの入力について信号確定処理を行ったとき（ステップＳ２０：Ｙ）、信号処理部１００（画像処理部１０８）は、Ｓ−ビデオ入力端子（第２の映像入力端子１２０２）からの信号検出処理を行う（ステップＳ２２）。その後、信号処理部１００は、一連の処理を終了する（エンド）。
【００５６】
前回、コンピューター入力端子等からの入力について信号確定処理を行っていないとき（ステップＳ２０：Ｎ）、信号処理部１００は、前回、Ｓ−ビデオ入力端子からの入力について信号確定処理を行ったか否かを判定する（ステップＳ２４）。前回、Ｓ−ビデオ入力端子からの入力について信号確定処理を行ったとき（ステップＳ２４：Ｙ）、信号処理部１００（画像処理部１０８）は、ビデオ入力端子等（第３の映像入力端子１２０３）からの信号検出処理を行う（ステップＳ２６）。その後、信号処理部１００は、一連の処理を終了する（エンド）。
【００５７】
前回、Ｓ−ビデオ入力端子からの入力について信号確定処理を行っていないとき（ステップＳ２４：Ｎ）、信号処理部１００は、前回、ビデオ入力端子等からの入力について信号確定処理を行ったか否かを判定する（ステップＳ２８）。前回、ビデオ入力端子等からの入力について信号確定処理を行ったとき（ステップＳ２８：Ｙ）、信号処理部１００（画像処理部１０８）は、ＨＤＭＩ入力端子（第４の映像入力端子１２０４）からの信号検出処理を行う（ステップＳ３０）。その後、信号処理部１００は、一連の処理を終了する（エンド）。
【００５８】
前回、ビデオ入力端子等からの入力について信号確定処理を行っていないとき（ステップＳ２８：Ｎ）、信号処理部１００は、前回、ＨＤＭＩ入力端子からの入力について信号確定処理を行ったか否かを判定する（ステップＳ３２）。前回、ＨＤＭＩ入力端子からの入力について信号確定処理を行ったとき（ステップＳ３２：Ｙ）、信号処理部１００（画像処理部１０８）は、ＵＳＢのタイプＢ端子（第５の映像入力端子１２０５）からの信号検出処理を行う（ステップＳ３４）。その後、信号処理部１００は、一連の処理を終了する（エンド）。前回、ＨＤＭＩ入力端子からの入力について信号確定処理を行っていないとき（ステップＳ３２：Ｎ）、信号処理部１００は、ＵＳＢ端子からの信号検出処理を行い（ステップＳ３６）、一連の処理を終了する（エンド）。
【００５９】
図１０に、図９のステップＳ１４の信号確定処理の処理例のフロー図を示す。
図９のステップＳ１４では、ソース選択画像生成部１１０は、モード設定部１０４により床置きモードに設定されたか否かを判定する（ステップＳ４０）。床置きモードに設定されたとき（ステップＳ４０：Ｙ）、ソース選択画像生成部１１０は、所定の位置に“携帯情報機器”を追加表示したソース選択画像を生成し（ステップＳ４２）、投写部１４０により表示させる。
【００６０】
続いて、画像処理部１０８は、機器接続コネクター１８からの信号検出を行う（ステップＳ４４）。機器接続コネクター１８に携帯情報機器３０が接続されたことを示す信号が検出されたとき（ステップＳ４６：Ｙ）、画像処理部１０８は、映像入力パスを機器接続コネクター１８に設定する（ステップＳ４８）。そして、画像処理部１０８は、機器接続コネクター１８からの入力信号のフォーマット検出を行い（ステップＳ５０）、検出されたフォーマットに対応した設定（例えば、映像の拡大率の設定等）を行って（ステップＳ５２）、一連の処理を終了する（エンド）。
【００６１】
ステップＳ４６において、機器接続コネクター１８に携帯情報機器３０が接続されたことを示す信号が検出されないとき（ステップＳ４６：Ｎ）、ソース選択画像生成部１１０は、“携帯情報機器”に対応して“信号なし”を表示するソース選択画像を生成する（ステップＳ５４）。
【００６２】
モード設定部１０４により天吊りモードに設定されたとき（ステップＳ４０：Ｎ）、又はステップＳ５４に続いて、画像処理部１０８は、図９のステップＳ１８に移る。
【００６３】
図１１に、図９のステップＳ１８の信号確定処理の処理例のフロー図を示す。
図９のステップＳ１８では、まず、画像処理部１０８は、コンピューター入力端子等（第１の映像入力端子１２０１）からの信号検出を行う（ステップＳ６０）。コンピューター入力端子等からの映像信号等が検出されたとき（ステップＳ６２：Ｙ）、画像処理部１０８は、映像入力パスをコンピューター入力端子等に設定する（ステップＳ６４）。そして、画像処理部１０８は、コンピューター入力端子等からの入力信号のフォーマット検出を行い（ステップＳ６６）、検出されたフォーマットに対応した設定（例えば、映像の拡大率の設定等）を行って（ステップＳ６８）、一連の処理を終了する（エンド）。
【００６４】
ステップＳ６２において、コンピューター入力端子等からの映像信号等が検出されないとき（ステップＳ６２：Ｎ）、ソース選択画像生成部１１０は、コンピューター入力端子等に対応して“信号なし”を表示するソース選択画像を生成する（ステップＳ７０）。その後、画像処理部１０８は、図９のステップＳ２２に進む。
【００６５】
図９のステップＳ２２、ステップＳ２６、ステップＳ３０、及びステップＳ３４は、図１１で説明したステップＳ１８の処理と同様である。即ち、図９のステップＳ２２は、図１１の説明における“コンピューター入力端子等（第１の映像入力端子１２０１）”の語句を“Ｓ−ビデオ入力端子（第２の映像入力端子１２０２）”に置き換えた処理と同様である。この場合、Ｓ−ビデオ入力端子からの信号が検出されなかったときに“信号なし”を表示した後に、図９のステップＳ２６に進む。
【００６６】
図９のステップＳ２６は、図１１の説明における“コンピューター入力端子等（第１の映像入力端子１２０１）”の語句を“ビデオ入力端子等（第３の映像入力端子１２０３）”に置き換えた処理と同様である。この場合、ビデオ入力端子等からの信号が検出されなかったときに“信号なし”を表示した後に、図９のステップＳ３０に進む。
【００６７】
図９のステップＳ３０は、図１１の説明における“コンピューター入力端子等（第１の映像入力端子１２０１）”の語句を“ＨＤＭＩ入力端子（第４の映像入力端子１２０４）”に置き換えた処理と同様である。この場合、ＨＤＭＩ入力端子からの信号が検出されなかったときに“信号なし”を表示した後に、図９のステップＳ３４に進む。
【００６８】
図９のステップＳ３４は、図１１の説明における“コンピューター入力端子等（第１の映像入力端子１２０１）”の語句を“ＵＳＢのタイプＢ端子（第５の映像入力端子１２０５）”に置き換えた処理と同様である。この場合、ＵＳＢのタイプＢ端子からの信号が検出されなかったときに“信号なし”を表示した後に、図９のステップＳ３６に進む。
【００６９】
図１２に、図９のステップＳ３６の信号確定処理の処理例のフロー図を示す。
図９のステップＳ３６では、まず、画像処理部１０８は、ＵＳＢ端子（第６の映像入力端子１２０６）からの信号検出を行う（ステップＳ８０）。ＵＳＢ端子からの映像信号等が検出されたとき（ステップＳ８２：Ｙ）、画像処理部１０８は、映像入力パスをＵＳＢ端子に設定する（ステップＳ８４）。そして、画像処理部１０８は、ＵＳＢ端子からの入力信号のフォーマット検出を行い（ステップＳ８６）、検出されたフォーマットに対応した設定（例えば、映像の拡大率の設定等）を行って（ステップＳ８８）、一連の処理を終了する（エンド）。
【００７０】
ステップＳ８２において、ＵＳＢ端子からの映像信号等が検出されないとき（ステップＳ８２：Ｎ）、ソース選択画像生成部１１０は、ＵＳＢ端子に対応して“信号なし”を表示するソース選択画像を生成する（ステップＳ９０）。その後、画像処理部１０８は、一連の処理を終了する（エンド）。
【００７１】
以上のように処理することで、設置モードとして床置きモードが設定されたときには、ユーザーの切り替え対象として携帯情報機器３０を表示し、ユーザーにより携帯情報機器３０の機能を使用することができるようになる。
【００７２】
図１３に、設置モードとして床置きモードが設定されているときのソース選択画像の一例を示す。
ユーザーによりソース切替操作が行われると、ソース選択画像生成部１１０によって生成されたソース選択画像が投写部１４０によりスクリーンに投写される。設置モードとして床置きモードが設定されているときには、ソース切替操作が行われる毎に、機器接続コネクター１８、及び第１の映像入力端子１２０１〜第６の映像入力端子１２０６の各々からの入力検出を順番に行う。そして、入力信号が検出されたソースに切り替えてスクリーンに当該ソースからの映像を表示する。図１３では、Ｓ−ビデオ端子である第２の映像入力端子１２０２からの信号が検出されず、ビデオ端子である第３の映像入力端子１２０３からの信号の検出を行っている。ユーザーは、ソース切替操作を繰り返すことで、機器接続コネクター１８に接続される携帯情報機器３０をソースとして選択し、携帯情報機器３０からの映像信号等を用いて映像出力（画像出力）又は音出力を行うことができる。
【００７３】
これに対して、設置モードとして天吊りモードが設定されたときには、ユーザーの切り替え対象から携帯情報機器３０を除外して表示し、ユーザーによる携帯情報機器３０の機能を使用不能にすることができる。
【００７４】
図１４に、設置モードとして天吊りモードが設定されているときのソース選択画像の一例を示す。
設置モードとして天吊りモードが設定されているときには、ソース切替操作が行われる毎に、機器接続コネクター１８を除外して、第１の映像入力端子１２０１〜第６の映像入力端子１２０６の各々からの入力検出を順番に行う。そして、入力信号が検出されたソースに切り替えてスクリーンに当該ソースからの映像を表示する。図１４では、Ｓ−ビデオ端子である第２の映像入力端子１２０２からの信号が検出されず、ビデオ端子である第３の映像入力端子１２０３からの信号の検出を行っている。しかしながら、機器接続コネクター１８に接続される携帯情報機器をソース選択対象から除外してソース選択画像を表示している。そのため、ユーザーは、ソース切替操作を繰り返しても、第１の映像入力端子１２０１〜第６の映像入力端子１２０６のいずれかをソースとして選択することができるが、機器接続コネクター１８に接続される携帯情報機器３０をソースとして選択することができない。従って、ユーザーは、ソースとして携帯情報機器３０を選択できなくなり、天吊り設置された状態で、携帯情報機器３０を接続してしまう事態を回避することができるようになる。
【００７５】
また、本実施形態では、携帯情報機器３０が機器接続コネクター１８に接続されている状態で設置モードが切り替わらないように制御する。具体的には、プロジェクター１０は、接続状態検出部１０２により機器接続コネクター１８に携帯情報機器３０が接続されていることが検出されたとき、モード設定部１０４による天吊りモードへの切り替えを禁止又は無効化する。こうすることで、機器接続コネクター１８の接続状態と設置モードとの矛盾が起こらないようにする。
【００７６】
図１５に、信号処理部１００におけるモード設定処理の処理例のフロー図を示す。図１５は、ユーザーの操作情報に基づいてモード設定操作が行われたときの処理例を表す。なお、図１５では、設置モードが、床置きモードと天吊りモードの２種類であるものとして説明する。
【００７７】
ユーザーにより所定のモード設定操作が行われると、接続状態検出部１０２は、機器接続コネクター１８に携帯情報機器３０が接続されているか否かを判定する（ステップＳ１００）。接続状態検出部１０２は、機器接続コネクター１８の制御信号を監視することで、機器接続コネクター１８に携帯情報機器３０が接続されているか否かを判定することができる。機器接続コネクター１８に携帯情報機器３０が接続されていないとき（ステップＳ１００：Ｎ）、ＯＳＤメニュー生成部１０６は、設置モード設定メニュー画像を生成し、投写部１４０により設置モード設定メニュー画像を表示させる（ステップＳ１０２）。
【００７８】
次に、モード設定部１０４は、操作部１２２又は受信部１２４からのユーザーの操作情報に基づいて、設置モードとして床置きモードが指定（設定）されたか否かを判定する（ステップＳ１０４）。設置モードとして床置きモードが指定されたとき（ステップＳ１０４：Ｙ）、モード設定部１０４は、設置モードとして床置きモードに設定し（ステップＳ１０６）、信号処理部１００は、一連の処理を終了する（エンド）。
【００７９】
ステップＳ１０４において設置モードして床置きモードが指定されなかったとき（ステップＳ１０４：Ｎ）、モード設定部１０４は、ユーザーの操作情報に基づいて、設置モードとして天吊りモードが指定（設定）されたか否かを判定する（ステップＳ１０８）。設置モードとして天吊りモードが指定されたとき（ステップＳ１０８：Ｙ）、モード設定部１０４は、設置モードとして天吊りモードに設定し（ステップＳ１１０）、信号処理部１００は、一連の処理を終了する（エンド）。設置モードとして天吊りモードが指定されなかったとき（ステップＳ１０８：Ｎ）、信号処理部１００は、一連の処理を終了する（エンド）。
【００８０】
また、ステップＳ１００において、機器接続コネクター１８に携帯情報機器３０が接続されているとき（ステップＳ１００：Ｙ）、信号処理部１００は、一連の処理を終了する（エンド）。
【００８１】
以上のように、機器接続コネクター１８に携帯情報機器３０が接続されているか否かを検出し、携帯情報機器３０が接続されているときに設置モードの設定画像を表示しないようにしている。これにより、ユーザーが、携帯情報機器３０を使用している途中で設置モードを天吊りモードに切り替えてしまう事態を回避することができるようになる。
【００８２】
また、本実施形態において、プロジェクター１０のリモコン４０により携帯情報機器３０の操作をすることができる。これにより、リモコン４０の操作で、携帯情報機器３０が記憶する映像を選択したり、動画再生や音楽再生の制御として早送り、再生、一時停止、又は巻き戻し等を行ったりすることができ、ユーザーの利便性を向上させることができる。この場合でも、設置モードとして天吊りモードが設定されているとき、リモコン４０によるユーザーの操作情報を無効化することが望ましい。
【００８３】
図１６に、信号処理部１００におけるリモコン４０の操作処理の処理例のフロー図を示す。図１６は、ユーザーの操作情報により、リモコン４０によって携帯情報機器３０の制御開始操作が行われたときの処理例を表す。なお、図１６では、設置モードが、床置きモードと天吊りモードの２種類であるものとして説明する。
【００８４】
ユーザーによってリモコン４０を用いた携帯情報機器３０の制御開始操作が行われると、信号処理部１００は、設置モードの判定を行う（ステップＳ１２０）。設置モードとして床置きモードが設定されているとき（ステップＳ１２０：Ｙ）、信号処理部１００は、リモコン４０からの操作情報を受信した受信部１２４の操作情報を有効にし、携帯情報機器３０への制御を有効化する（ステップＳ１２２）。その後、信号処理部１００は、一連の処理を終了する（エンド）。
【００８５】
設置モードとして天吊りモードが設定されているとき（ステップＳ１２０：Ｎ）、信号処理部１００は、リモコン４０からの操作情報を受信した受信部１２４の操作情報を無効にし、携帯情報機器３０への制御を無効化する（ステップＳ１２４）。その後、信号処理部１００は、一連の処理を終了する（エンド）。
【００８６】
以上のように、設置モードとして天吊りモードが設定されているとき、リモコン４０からの携帯情報機器３０への制御を無効化するようにしたので、天吊り設置された状態のプロジェクター１０に携帯情報機器３０を接続できない仕様をわかりやすく提示することができるようになる。
【００８７】
以上、本発明に係るプロジェクター、及びプロジェクターの制御方法等を上記の実施形態に基づいて説明したが、本発明は上記の実施形態に限定されるものではない。例えば、その要旨を逸脱しない範囲において種々の態様において実施することが可能であり、次のような変形も可能である。
【００８８】
（１）上記の実施形態では、機器接続コネクター１８への接続状況に応じて天吊りモードへの変更を禁止するものとして説明したが、本発明はこれに限定されるものではない。例えば、入力ソースが携帯情報機器３０に設定され、携帯情報機器３０に対してプロジェクター１０のリモコン４０による操作が有効になっているときに天吊りモードへの変更を禁止するようにしてもよい。
【００８９】
（２）上記の実施形態では、携帯情報機器３０が機器接続コネクター１８に接続されているとき、天吊りモードへの設置モードの変更を禁止するものとして説明したが、本発明は、これに限定されるものではない。携帯情報機器３０が機器接続コネクター１８に接続されているとき、設置モードの変更自体を禁止するようにしてもよい。
【００９０】
（３）上記の実施形態では、プロジェクターとして液晶プロジェクターを例に説明したが、透過型の液晶パネルや反射型の液晶パネルを用いたプロジェクター等の表示装置を採用することができる。また、本発明に係るプロジェクターは、例えば、デジタルマイクロミラーデバイスを用いたプロジェクター等であってもよい。
【００９１】
（４）上記の実施形態では、本発明に係る投写モードとして設置モードを例に説明したが、本発明はこれに限定されるものではない。プロジェクターの設置状態にかかわらず、例えばプロジェクターの使用状態に応じて機能の一部を制限するものに適用することができる。
【００９２】
（５）上記の実施形態では、設置モードとして、床置きモード及び天吊りモードを例に説明したが、本発明はこれに限定されるものではなく、プロジェクターの他の設置状態に対応した設置モードが含まれていてもよい。また、本実施形態は、「床置き」の語句や「天吊り」の語句に限定されるものではなく、同様の趣旨の設置状態を示す語句であってもよい。
【００９３】
（６）上記の実施形態における携帯情報機器は、映像出力機能又は音出力機能を有する機器であればよい。また、上記の実施携帯における携帯情報機器は、インターネット等のネットワークに接続する機能を有していてもよい。このような上記の実施形態における携帯情報機器は、携帯電話機、スマートフォン、ＰＤＡ（Personal Data Assistance)、携帯型音楽プレーヤー、電子辞書、電子手帳、ゲーム機、携帯型パーソナルコンピューター等がある。
【００９４】
（７）上記の実施形態において、本発明を、プロジェクター、及びプロジェクターの制御方法等として説明したが、本発明はこれに限定されるものではない。例えば、上記の実施形態におけるソース選択画像の生成方法、ソース選択方法、モード設定方法や、これらの方法をプログラム、及び該プログラムを記憶したコンピューター読み取り可能な情報記憶媒体等であってもよい。
【符号の説明】
【００９５】
１０…プロジェクター、  １２…投写レンズ、  １４…ズームリング、
１６…ドックコネクター、  １８…機器接続コネクター（第１のソース入力部、外部機器接続部）、  ２０…前面、  ２２…背面、  ３０…携帯情報機器（外部機器）、
３２…画面、  ３４…操作面、  ４０…リモコン、  ５０…プロジェクターシステム、
１００…信号処理部、  １０２…接続状態検出部、  １０４…モード設定部、
１０６…ＯＳＤメニュー生成部、  １０８…画像処理部、
１１０…ソース選択画像生成部、
１２０１…第１の映像入力端子（コンピューター入力端子、第２のソース入力部）、
１２０２…第２の映像入力端子（Ｓ−ビデオ入力端子、第２のソース入力部）、
１２０３…第３の映像入力端子（ビデオ入力端子、第２のソース入力部）、
１２０４…第４の映像入力端子（ＨＤＭＩ入力端子、第２のソース入力部）、
１２０５…第５の映像入力端子（ＵＳＢのタイプＢ端子、第２のソース入力部）、
１２０６…第６の映像入力端子（ＵＳＢ端子、第２のソース入力部）、
１２０Ｎ…第Ｎの映像入力端子（第２のソース入力部）、  １２２…操作部、
１２４…受信部、  １２６…ＲＡＭ、  １２８…ＲＯＭ、  １４０…投写部、
１４２…液晶駆動回路、  １４４…液晶パネル、  １４６…光源、  １６０…音出力部、
ＤＲ…引き出し方向、  ＫＲ…接続方向、  ＳＣＲ…スクリーン
【図１】
2012198398.tif 000003
【図２】
2012198398.tif 000004
【図３】
2012198398.tif 000005
【図４】
2012198398.tif 000006
【図５】
2012198398.tif 000007
【図６】
2012198398.tif 000008
【図７】
2012198398.tif 000009
【図８】
2012198398.tif 000010
【図９】
2012198398.tif 000011
【図１０】
2012198398.tif 000012
【図１１】
2012198398.tif 000013
【図１２】
2012198398.tif 000014
【図１３】
2012198398.tif 000015
【図１４】
2012198398.tif 000016
【図１５】
2012198398.tif 000017
【図１６】
2012198398.tif 000018